(57)【要約】      （修正有）【課題】ランプ管の輝度を全輝度範囲でいかなる輝度レベルにも調節するため、遠隔減光可能な省エネルギ装置及びその遠隔減光可能な省エネルギＴ４／Ｔ５蛍光灯を提供する。【解決手段】遠隔制御送信機５０は減光ボタン５１、ＯＮ／ＯＦＦボタン５４、コード化回路５２及び送信回路５３を備える。ユーザは減光ボタン５１により全輝度範囲のいかなる輝度レベルにも蛍光灯を調節することができる。ユーザ入力は次に夫々の方式によりコード化回路５２によりコード化され、そして赤外線方式の送信回路５３により送信され、又は高周波方式の送信回路に接続されたアンテナにより無線を用いて送信される。部屋の中の色々な装置の間の遠隔制御信号の干渉を回避するため、遠隔制御送信機５０は更に、第一チャネル、そして／又はそれによりユーザからの減光入力が送信前にコード化される適切なチャネルを選択するのに適したＩＤ選択回路５５を備える。【選択図】図１
0003131732.tif 000002
【実用新案登録請求の範囲】
【請求項１】
減光可能な電子安定器を備える遠隔減光可能な省エネルギ装置であって、遠隔制御方式により減光可能な電子安定器の輝度調節を制御するため遠隔制御送信機及び前記遠隔制御送信機と連動する遠隔制御受信機とを更に備え、前記遠隔制御受信機は減光可能な電子安定器と一体化され、そして蛍光管バッテンまたはＴ８／Ｔ１０管バッテン用Ｔ４／Ｔ５管アダプタに組み込まれることを特徴とする装置。
【請求項２】
遠隔制御受信機の信号処理回路及び減光可能な電子安定器の安定化制御回路とは単一減光制御集積回路（ＩＣ）に一体化され、
受信された減光信号を復号化するのに適した復号化回路；
復号化回路から出力されたデジタル減光信号をアナログ減光信号に変換するのに適したＤ／Ａ変換回路；
アナログ減光信号を受信するのに、及び基準位相を提供するのに適した減光インタフェース；
基準位相と検出された実際の位相とを比較するのに及び誤差信号を発生するのに適した位相制御回路；
誤差信号をゼロにするように発振周波数を変更するのに適した電圧制御発振器（ＶＣＯ）；
ＶＣＯの出力により駆動され、これによりハーフブリッジ電子スイッチに高ＨＯおよび低ＬＯ出力を提供するハーフブリッジ駆動回路；
を備える請求項１に記載の遠隔減光可能な省エネルギ装置。
【請求項３】
前記減光制御集積回路はランプ管の全輝度範囲で輝度レベルを制御する、請求項２に記載の遠隔減光可能な省エネルギ装置。
【請求項４】
前記遠隔制御送信機はコード化回路及び送信回路を備え、ユーザからの減光設定をコード化し、次に無線方式により送信する、請求項１に記載の遠隔減光可能な省エネルギ装置。
【請求項５】
前記遠隔制御送信機は、減光信号をコード化するため色々なチャネルそして／又はＩＤを設定するのに適した第一チャネルそして／又はＩＤ選択回路を更に備え、前記単一減光制御集積回路は受信された減光信号をコード化するため第二チャネルそして／又は遠隔制御送信機の設定により対応するチャネルそして／又はＩＤを選択するのに適したＩＤ選択回路を更に備える、請求項４に記載の遠隔減光可能な省エネルギ装置。
【請求項６】
Ｔ４／Ｔ５蛍光管、Ｔ４／Ｔ５管アダプタ、管バッテン及び減光可能な電子安定器を備える遠隔減光可能な省エネルギ蛍光灯であって、前記蛍光灯は遠隔制御方式により減光可能な電子安定器の輝度調節を制御するため遠隔制御送信機及び前記遠隔制御送信機と連動する遠隔制御受信機とを更に備え、遠隔制御受信機は減光可能な電子安定器と一体化され、そして管バッテン又はＴ８／Ｔ１０バッテン用Ｔ４／Ｔ５管アダプタに組み込まれることを特徴とする蛍光灯。
【請求項７】
遠隔制御受信機の信号処理回路及び減光可能な電子安定器の安定化制御回路とは単一減光制御集積回路（ＩＣ）に一体化され、
受信された減光信号を復号化するのに適した複合化回路；
復号化回路から出力されたデジタル減光信号をアナログ減光信号に変換するのに適したＤ／Ａ変換回路；
アナログ減光信号を受信するのに、及び基準位相を提供するのに適した減光インタフェース；
基準位相と検出された実際の位相とを比較するのに及び誤差信号を発生するのに適した位相制御回路；
誤差信号をゼロにするように発振周波数を変更するのに適した電圧制御発振器（ＶＣＯ）；
ＶＣＯの出力により駆動され、これによりハーフブリッジ電子スイッチに高ＨＯおよび低ＬＯ出力を提供するハーフブリッジ駆動回路；
を備える請求項６に記載の蛍光灯。
【請求項８】
前記減光制御集積回路はランプ管の全輝度範囲で輝度レベルを制御する、請求項7に記載の蛍光灯。
【請求項９】
前記遠隔制御送信機はコード化回路及び送信回路を備え、ユーザからの減光設定をコード化し次に無線方式により送信する、請求項１に記載の蛍光灯。
【請求項１０】
前記遠隔制御送信機は減光信号をコード化するためユーザにより色々なチャネルを設定するのに適した第一チャネルそして／またはＩＤ選択回路を備え、前記単一減光制御回路は第二チャネルそして／又は受信した減光信号を復号化するため遠隔制御送信機の設定により対応するチャネルそして／又はＩＤを選択するのに適したＩＤ選択回路を更に備える、請求項9に記載の蛍光灯。
【考案の詳細な説明】
【技術分野】
【０００１】
この実用新案は減光可能な蛍光灯に関する。特に、それは遠隔減光可能な省エネルギ装置及びその遠隔減光可能な省エネルギ蛍光灯に関する。
【背景技術】
【０００２】
蛍光灯はそれらの高い輝度や低価格のため家庭、事務所、学校及び公共建物で広く使用される。
【０００３】
伝統的蛍光灯は一般にシェル、磁気安定器、蛍光管、バッテン及びスタータスイッチを備える。
【０００４】
配線により蛍光灯へ接続された制御スイッチは一般に壁に設置される。ランプを点滅するため、それは物理的にはスイッチの場所又はその近くに置く必要がある。消費者は最近、手元の活動に適するように減光又は輝度を容易に調節できるランプを含み、多分簡単な作業、日常使われる日用品で最小の不便さで最大の心地良さを期待する。
【０００５】
現在、これらのニーズ及び期待に合ういくつかの製品が我々の研究から出ている。
【０００６】
このような製品の一つは可変電圧装置とその電源供給回路に含まれるポテンショメータ調節器又は減光器を有する遠隔電子安定器との間の配線による遠隔減光可能な制御である。それは蛍光灯の輝度を変更する目的に役立つが、ランプの所望輝度の調整には便利でない。それは可変電圧装置上で手で行わねばならず、使用は通常自分で配線を設置する電気専門家に限定される。
【０００７】
輝度調節に赤外線遠隔制御装置を利用する別の種類の減光可能な蛍光灯がある。これら蛍光灯の輝度レベルは予め決められそして固定であることが分かった。このようにこの種の蛍光灯は消費者にはまだ不便であり、その期待や要望に合致できない。
【考案の開示】
【０００８】
この実用新案の目的はランプ管の輝度を全輝度範囲でいかなる輝度レベルにも調節するため、遠隔減光可能な省エネルギ装置及びその遠隔減光可能な省エネルギＴ４／Ｔ５蛍光灯を提供することである。
【０００９】
この実用新案の一態様によると、減光可能な電子安定器、遠隔制御により減光可能な電子安定器の調光を制御するための遠隔制御送信機及び遠隔制御送信機と連動する遠隔制御受信機を備える遠隔減光可能な省エネルギ装置が提供され、遠隔制御受信機は減光可能な電子安定器と一体化され、蛍光管バッテン又はＴ８／Ｔ１０管バッテン用Ｔ４／Ｔ５管アダプタに組み込まれる。
【００１０】
都合よく、遠隔制御受信機の信号処理回路及び減光可能な電子安定器の安定化制御回路は単一減光制御集積回路（ＩＣ）に一体化され、以下を備える；
【００１１】
受信した減光信号をデコードするのに適した復号化回路；
復号化回路から出力されたデジタル減光信号をアナログ減光信号に変換するのに適したＤ／Ａ変換回路；
アナログ減光信号を受信し、基準位相を提供するのに適した減光インターフェース；
基準位相と検出された実際の位相とを比較し、そしてエラー信号を発生させるのに適した位相制御回路；
エラー信号をゼロにするように発振周波数を変更するのに適した電圧制御発振器（ＶＣＯ）；
ＶＣＯの出力により駆動され、これにより高いＨＯ出力及び低いＬＯ出力をハーフブリッジ電子スイッチへ提供するハーフブリッジ駆動回路；
都合よく、前記減光制御集積回路はランプ管の全輝度範囲で輝度レベルを制御する。
都合よく、前記遠隔制御送信機はコード化回路と送信回路を備え、ユーザからの減光設定をコード化し、次に無線方式により送信する。
都合よく、前記遠隔制御送信機は更に減光信号をコード化するため、ユーザにより色々なチャネルそして／またはＩＤを設定するのに適した第一チャネルそして／またはＩＤ選択回路を備え、前記単一減光制御集積回路は更に第二チャネルそして／又は受信された減光信号を復号化するため、遠隔制御送信機の設定により対応するチャネルそして／又はＩＤを選択するのに適したＩＤ選択回路を備える。
【００１２】
この実用新案の別の態様によると、遠隔減光可能な省エネルギ蛍光灯が提供され、前記蛍光灯はＴ４／Ｔ５蛍光管、Ｔ４／Ｔ５管アダプタ、管バッテン及び減光可能な電子安定器を備え、前記蛍光灯は更に遠隔制御方式により減光可能な電子安定器の輝度調節を制御するため遠隔制御送信機及び前記遠隔制御送信機と連動する遠隔制御受信機を備え、遠隔制御受信機は減光可能な電子安定器と一体化され、管バッテンまたはＴ８／Ｔ１０管バッテン用Ｔ４／Ｔ５管アダプタへ組み込まれる。
【００１３】
都合よく、遠隔制御受信機の信号処理回路及び減光可能な電子安定器の安定化制御回路は以下のものを備える単一減光制御集積回路（ＩＣ）へ一体化される。
【００１４】
受信した減光信号をコード化するのに適した復号化回路；
復号化回路から出力されたデジタル減光信号をアナログ減光信号に変換するのに適したＤ／Ａ変換回路；
アナログ減光信号を受信し、基準位相を提供するのに適した減光インターフェース；
基準位相と検出された実際の位相とを比較し、そしてエラー信号を発生させるのに適した位相制御回路；
エラー信号をゼロにするように発振周波数を変更するのに適した電圧制御発振器（ＶＣＯ）；
ＶＣＯの出力により駆動され、これにより高いＨＯ出力及び低いＬＯ出力をハーフブリッジ電子スイッチへ提供するハーフブリッジ駆動回路；
都合よく、前記減光制御集積回路はランプ管の全輝度範囲で輝度レベルを制御する。
都合よく、前記遠隔制御送信機はコード化回路と送信回路を備え、ユーザからの減光設定をコード化し、次に無線方式により送信する。
都合よく、前記遠隔制御送信機は更に減光信号をコード化するため、ユーザにより色々なチャネルそして／またはＩＤを設定するのに適した第一チャネルそして／またはＩＤ選択回路を備え、前記単一減光制御集積回路は更に第二チャネルそして／又は受信された減光信号を復号化するため、遠隔制御送信機の設定により対応するチャネルそして／又はＩＤを選択するのに適したＩＤ選択回路を備える。
【００１５】
この実用新案の利点は以下のとおりである。
この実用新案は赤外線制御、無線周波数制御及び簡単な配線ボックス制御を含み、集積回路を使用した色々な制御を利用できる。
【００１６】
赤外線制御については、５ｍが効果的動作範囲であり、これにより一般的屋内照明の要求は満足できる。ユーザは部屋のどの場所でも赤外線受信機を指して蛍光灯の輝度を便利に調節しかつ制御することができる。この実用新案によりこの遠隔減光可能な省エネルギ蛍光灯で、ユーザは所望の要求又は状況に基づき全輝度範囲の０〜１００％の間でランプのいかなる輝度レベルにも調節可能である。このようにこの蛍光灯システムはエネルギを節約し、そして心地良い環境のため光の正しいレベルを生成することができる。この実用新案は色々な蛍光灯用に色々なチャネルそして／又はＩＤを設定することにより、遠隔制御装置と制御下の色々なランプ管との間の干渉を回避することができる。更に一つの遠隔制御装置はチャネル設定により色々な輝度レベルに対し蛍光灯の色々な設定を制御できる。
【考案を実施するための最良の形態】
【００１７】
Ｔ４／Ｔ５蛍光管用の移動可能なアダプタセットは「蛍光灯バッテンのためのアダプタ構造」と題する、２００４年１１月１１日出願の中国特許出願番号２００４２００９５７４０．Ｘで開示され、ここではアダプタの一端はＴ８管用バッテンへ接続され、アダプタの他端はＴ４／Ｔ５管へ接続され、これによりＴ８管用の現バッテンはバッテン構造又は回路に少しの変更もなく、Ｔ４／Ｔ５管と合わせることができる。この実用新案はアダプタによる蛍光灯用遠隔減光可能な省エネルギ装置及びその遠隔減光可能な省エネルギ蛍光灯を提供する。前記遠隔減光可能な省エネルギ装置は遠隔制御送信機と組込み遠隔制御受信機を備えた減光可能な電子安定器を備え、前記受信機及び減光可能な電子安定器は一体化され、Ｔ８／Ｔ１０ランプバッテン用Ｔ４／Ｔ５管アダプタに含まれるか又は蛍光管バッテンにユニットとして組み込まれる。遠隔制御受信機の信号処理回路及び減光可能な電子安定器の安定化制御回路は単一減光制御集積回路（ＩＣ）に一体化される。遠隔制御受信機により受信された信号は処理されアナログ信号／減光信号に変換され、ランプの光強度レベルの変更に使用される。この実用新案の遠隔減光可能な省エネルギ装置は、赤外線又は無線周波数及び簡単な配線による一般的スイッチボックスの寸法に似た簡単な制御ボックスのような色々な無線制御方式を利用する。
【００１８】
図１は本実用新案の一実施形態による遠隔減光可能な省エネルギ蛍光灯の構造図である。図１に示すように、蛍光灯はバッテン１０、Ｔ４／Ｔ５蛍光管２０、Ｔ４／Ｔ５管４０用アダプタ、信号受信機３８及び遠隔制御送信機５０を備える。遠隔制御送信機５０は赤外線又は無線周波数技術を利用し、その上にユーザが蛍光灯の輝度を調節するための輝度の付加、削減ボタンそして／又はＯＮ／ＯＦＦボタンを備える。もう一つの形態としては遠隔制御送信機５０上にはノブが備えられる。Ｔ４／Ｔ５管４０用アダプタの一端はＴ４／Ｔ５管２０へ接続され、アダプタの他端はランプバッテンホルダへ挿入される。減光可能な電子安定器９ＩＣ３０と遠隔制御受信機（図1に表示無し）はＴ４／Ｔ５管４０用アダプタの中へ取り付けられる。信号受信機３８（例えば赤外線センサのＩＣ又は無線周波数受信アンテナ）は、遠隔制御送信機５０により送信された減光信号を受信するため、Ｔ４／Ｔ５管４０用アダプタの外に設置される。次に減光信号は蛍光管２０の輝度調節を駆動するため減光可能な電子安定器により処理される。
【００１９】
特に図２は本実用新案による蛍光灯の遠隔制御送信機５０の構造図である。図２に示すように、遠隔制御送信機５０は減光ボタン５１、ＯＮ／ＯＦＦボタン５４、コード化回路５２及び送信回路５３を備える。ユーザは減光ボタン５１により全輝度範囲のいかなる輝度レベルにも蛍光灯を調節することができる。ユーザ入力は次に夫々の方式によりコード化回路５２によりコード化され、そして赤外線方式の送信回路５３により送信され、又は高周波方式の送信回路に接続されたアンテナにより無線を用いて送信される。部屋の中の色々な装置の間の遠隔制御信号の干渉を回避するため、遠隔制御送信機５０は更に、第一チャネルそして／又はそれによりユーザからの減光入力が送信前にコード化される適切なチャネルを選択するのに適したＩＤ選択回路５５を備える。次にコード化された減光入力は選択されたチャネルで送信される。遠隔制御送信機５０は、調節されるべき蛍光管に対応したＩＤを入力するため、又は調節されるべき蛍光管に対応したプリセットＩＤを選択するため第一チャネルそして／又はＩＤ選択回路５５を使用する。次にユーザからの減光入力は調節されるべき蛍光管のＩＤでコード化され、そして送信回路５３により選択、送信される。こうして単一遠隔制御送信機は異なるＩＤを有する複数の蛍光灯を調節することができる。
【００２０】
図３及び図４は夫々本実用新案の一実施形態による遠隔制御受信機と一体化された減光可能な電子安定器３０の構造図及び回路図である。図に示すように、減光可能な電子安定器３０で、最初にＡＣ入力は、ＥＭＩを最小化するため当業者によく知られた適切なキャパシタおよびインダクタを利用するＥＭＩフィルタ段３１により濾過され、次にＥＭＩフィルタ段の出力は例えば全波整流器のような整流段３２へ提供される。整流段３２の整流されたＤＣ出力は次に力率補正（ＰＦＣ）段３３へ提供される。力率補正段３３は、整流器３２からの電圧をＤＣ母線電圧迄増加させるためブースト変換回路を使用する。更に力率補正段３３は、ＡＣ入力ラインでの電流と電圧の位相差を最小化するための波型を形成し、力率を１近辺に維持することが望ましい。力率補正段３３は従来方式の力率補正制御装置により制御される。次にＤＣ母線電圧は、蛍光管を駆動するために必要な電圧を提供するため高低式スイッチを利用するハーフブリッジ電子スイッチ段３５へ提供される。ハーフブリッジ電子スイッチ段３５の動作は減光制御ＩＣ３７により駆動される。ハーフブリッジ電子スイッチ段３５からの出力は、共振インダクタ及び共振キャパシタから構成される共振ＬＣ回路を備える出力段３６へ提供される。Ｔ４／Ｔ５蛍光管２０は出力段３６ヘ接続され、次にそれにより電力を供給される。
【００２１】
図４に示すように、減光制御ＩＣ３７は一体化された減光信号処理回路及び安定化制御回路を備えた単一ＩＣであり、信号受信機３８（例えば赤外線センサ又は高周波アンテナ）から遠隔制御送信機により送信された遠隔減光信号を受信し、そしてその信号を処理する。減光制御ＩＣ３７の固有構造は図５に示し、ここで減光制御ＩＣ３７は、復号化されたデジタル減光信号をアナログ減光信号へ変換する受信された減光信号を復号化し、次にそれをＤ／Ａ変換回路３７２へ提供するのに適した復号化回路３７１を備える。減光制御ＩＣ３７は更に第二チャネルそして／又は受信された減光信号を復号化するための遠隔制御送信機に対応するチャネルを選択するのに適したＩＤ選択回路３７３を備える。又第二チャネルそして／又はＩＤ選択回路３７３は受信された減光信号を復号化するためその中にプリセットされた対応するＩＤを使用する一方、選択されたチャネル又はＩＤに対応しない信号を無視する。
【００２２】
減光制御ＩＣ３７もまたＤ／Ａ変換回路３７２からのアナログ減光信号を受信し、そして位相制御回路３７５へ基準位相を提供する減光インターフェース３７４を備える。位相制御回路３７５は出力段３６の電流に比例した電圧信号のゼロ交差を検出することにより出力電流の実際の位相を決定する。位相制御回路３７５は次に位相誤差を得るため減光インターフェース３７４により提供された基準位相と検出された実際の位相とを比較し、そして誤差信号をＶＣＯ３７６へ提供し、これにより誤差信号をゼロにするためＶＣＯ周波数を変更する。ハーフブリッジ駆動回路３７７はスイッチにより夫々高ＨＯ及び低ＬＯ信号をハーフブリッジ電子スイッチ回路３５の高側及び低側スイッチへ提供する。次にハーフブリッジ電子スイッチ回路３５の出力は蛍光管２０の電力を調節するための高側及び低側スイッチ間の共通接続点で出力段３６へ提供される。
【００２３】
図６は更に位相制御を記述するため、出力段３６のモデルを示す。蛍光灯及びそのフィラメントはフィラメント抵抗（Ｒ１、Ｒ２、Ｒ３とＲ４）の間に挿入されたランプ抵抗Ｒｌａｍｐで、抵抗により表示される。出力段の入力電圧に対し入力電流のための伝達関数（１）により我々はフィラメント抵抗の貢献はランプ抵抗に比較して無視でき、そしてランプ抵抗が増加するにつれ更により無視できるようになる。関数（２）を解くため出力段の電流位相角は以下の様になる。
0003131732.tif 000003
ここでＬは出力段インダクタ、Ｃは出力段キャパシタ、Ｐ％はランプ電力、ｆ％はランプ電力％でのランプ電圧振幅である。関数（２）により、図７に示すようにランプに提供された電流と電圧の間の位相角に対しランプ電力は直線的に変化し、ここで位相角が小さい程電力は大きい。従ってランプ電圧の位相がランプ電流の位相により近い場合、ランプの電力消費は増加し、これによりランプの輝度は増加する；電流と電圧の間の位相角が増加する場合、ランプの電力消費は減少し、これによりランプの輝度は減少する。ランプ電力とランプの電流と電圧間の位相角の直線関係は閉ループ減光制御を実現するために利用される。
【００２４】
図８は図５の減光制御ＩＣの安定化制御部分の概略回路図である。図に示すように、最大と最小のランプ電力は減光インタフェースの夫々ピンＭＡＸとＭＩＮから設定される。減光入力ピンＤＩＭは０．５〜５Ｖ直流電圧を提供し、ここで５Ｖは最小位相（即ち最大ランプ電力）に対応する。ピンＤＩＭの５Ｖ入力へ対応する最小位相（最大電力）はピンＭＡＸの外部に接続された抵抗により規定され、ピンＤＩＭの０．５Ｖ入力へ対応する最大位相（最小電力）はピンＭＩＮの外部に接続された抵抗により規定される。減光インタフェース出力電圧は減光インタフェースのタイミングキャパシタの電圧と比較され、これにより基準位相を発生し、位相制御回路へ提供される。
【００２５】
図８でピンＣＳは電流検出入力を提供する；ピンＣＳでの電圧はランプの電流と電圧の間の位相角に比例するゼロ交差点を有する。ランプの実際の位相はピンＣＳでのゼロ交差点を検出することにより得られる。次に減光電力レベルへのフィードバック制御はゼロ交差点（実際の位相）と減光信号入力ピンＤＩＭにより受信された基準位相を比較することにより実現できる。上で述べたように、実際の位相は位相制御回路の位相比較器によりプリセット基準位相と比較される。基準位相と実際の位相との間の位相誤差はＶＣＯの周波数を変化させ、これにより位相誤差はゼロにされる。ＶＣＯは内部１５μＡ電源供給と接続され、減光作動中のＶＣＯに外部接続されたキャパシタＣＶＣＯへ放電し、これにより振動周波数はロック値へ減少し、そしてハーフブリッジ駆動回路はＨＯとＬＯ出力を高側と低側スイッチへ提供するように駆動される。このように蛍光ランプは所望輝度へ駆動される。従ってこの実用新案の遠隔減光可能な省エネルギ装置は全輝度範囲のいかなる輝度レベルへもランプを調節できる；即ちランプの輝度は異なるユーザからの異なる要求を満足させるため、０〜１００％のいずれの値にも調節可能である。更に電力消費は節約される。
【００２６】
図５と図７に示すように、減光制御ＩＣは更に故障ロジック３７８を備える。減光動作の間、ランプ電流に比例するハーフブリッジ電子スイッチ回路の電流は電流検出ピンＣＳで検出され、次に信号は故障ロジック３７８へ提供される。過電流が検出されると、故障ロジックはハーフブリッジ駆動回路、ピンＨＯ及びＬＯを停止する。更に温度上昇検出及び電圧低下検出が、温度上昇又は電圧低下の場合、ハーフブリッジ駆動回路、ピンＨＯ及びＬＯを停止させるため、故障ロジック３７８への入力としてＩＣに備えられる。
【図面の簡単な説明】
【００２７】
以下の明細書と共に付属の図面及び実施形態でこの実用新案は以下のように表現される。付属図に関して
【図１】本実用新案の一実施形態による遠隔減光可能な省エネルギ蛍光灯の構造図である。
【図２】本実用新案の一実施形態による遠隔制御送信機のブロック図である。
【図３】本実用新案の一実施形態による減光可能な電子安定器のブロック図である。
【図４】本実用新案の一実施形態による減光可能な電子安定器の回路図である。
【図５】本実用新案の一実施形態による減光制御集積回路のブロック図である。
【図６】本実用新案の一実施形態による安定器の出力段の概略図である。
【図７】蛍光灯に与えられる電流と電圧の間の位相角に対する蛍光灯電力の変化を示す。
【図８】図５に示すような減光制御ＩＣの安定化制御部の回路図である。
【符号の説明】
【００２８】
１０：バッテン
２０：蛍光管
３０：ＩＣ
３１：ＥＭＩ濾過器
３２：整流器
３３：力率補正段
３４：ＩＣ
３５：ハーフブリッジ電子スイッチ段
３６：出力段
３７：減光制御ＩＣ
３８：信号受信機
４０：Ｔ４／Ｔ５管
５０：遠隔制御送信機
５１：減光ボタン
【図１】
0003131732.tif 000004
【図２】
0003131732.tif 000005
【図３】
0003131732.tif 000006
【図４】
0003131732.tif 000007
【図５】
0003131732.tif 000008
【図６】
0003131732.tif 000009
【図７】
0003131732.tif 000010
【図８】
0003131732.tif 000011
【手続補正書】
【提出日】平成19年3月5日(2007.3.5)
【手続補正１】
【補正対象書類名】実用新案登録請求の範囲
【補正対象項目名】請求項９
【補正方法】変更
【補正の内容】
【請求項９】
前記遠隔制御送信機はコード化回路及び送信回路を備え、ユーザからの減光設定をコード化し次に無線方式により送信する、請求項６に記載の蛍光灯。